【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
少なくとも１つの処理装置を有する装置であって、
前記処理装置は、該処理装置に係るソフトウェアを有し、
前記ソフトウェアは、前記処理装置により実行されると、
賭けイベントに対する第１の賭けを受け付け、
前記第１の賭けを受け付けた後、前記賭けイベントに対する第２の賭けを受け付け、
前記第１の賭けの受け付けから所定の期間内に前記第２の賭けが受け付けされたと決定し、
前記第２の賭けが前記所定の期間内に受け付けされたという決定に少なくとも部分的に基づき、前記第１の賭けと前記第２の賭けとに少なくとも部分的に基づき、前記賭けイベントに対する賭けオッズを再計算し、
前記再計算された賭けオッズを少なくとも１人の賭けをする人に通知する、
よう前記処理装置を動作可能にする装置。
【請求項２】
前記ソフトウェアはさらに、実行されると、
前記所定の期間後に前記第２の賭けが受け付けされたと決定し、
前記所定の期間後に前記第２の賭けが受け付けされたという決定に少なくとも部分的に基づき、前記第１の賭けに少なくとも部分的に基づくが、前記第２の賭けには基づかず、前記賭けオッズを再計算する、
よう前記処理装置を動作可能にする、請求項１記載の装置。
【請求項３】
前記所定の期間は、前記第１の賭けを受け付けるとスタートする、請求項２記載の装置。
【請求項４】
当該装置は、前記賭けイベントを開催する第１賭け施設に係り、
前記第１の賭けと前記第２の賭けの少なくとも１つが、第２賭け施設に係る計算装置から受け付けされる、請求項２記載の装置。
【請求項５】
前記第２賭け施設は、前記計算装置に動作可能に接続され、複数の賭けをする人が少なくとも前記賭けイベントに賭けることを可能にする複数の賭け端末を有する、請求項４記載の装置。
【請求項６】
前記第１の賭けと前記第２の賭けは、第２賭け施設に係る計算装置から個別に受け付けされる、請求項２記載の装置。
【請求項７】
少なくとも１つの処理装置を有する装置であって、
前記処理装置は、該処理装置に係るソフトウェアを有し、
前記ソフトウェアは、前記処理装置により実行されると、
賭けイベントに対する少なくとも１つの賭けを受け付け、
前記少なくとも１つの賭けを受け付けた後、前記賭けイベントに対する以降の賭けを受け付けないと決定し、
前記賭けイベントに対する以降の賭けを受け付けないと決定した後、計算装置から前記賭けイベントに対する他の賭けを受け付け、
前記賭けイベントに対する以降の賭けが受け付けされないという決定に少なくとも部分的に基づき、前記他の賭けを拒絶し、
前記他の賭けの拒絶に少なくとも部分的に基づき、前記他の賭けが拒絶されたという通知を前記計算装置に送信する、
よう前記処理装置を動作可能にする装置。
【請求項８】
当該装置は、第１賭け施設に係り、
前記計算装置は、第２賭け施設に係る、請求項７記載の装置。
【請求項９】
前記他の賭けが拒絶されたという通知は、前記計算装置に前記複数の賭けをする人から前記賭けイベントに対して提供されたさらなる賭けを受け付けさせない、請求項８記載の装置。
【請求項１０】
少なくとも１つの処理装置を有する装置であって、
前記処理装置は、該処理装置に係るソフトウェアを有し、
前記ソフトウェアは、前記処理装置により実行されると、
賭けイベントに対する少なくとも１つの賭けを受け付け、
前記少なくとも１つの賭けを受け付けた後、前記賭けイベントに対する以降の賭けが受け付けされないと決定し、
前記賭けイベントに対する以降の賭けが受け付けされないという通知を計算装置に送信する、
よう前記処理装置を動作可能にし、
当該装置は、前記賭けイベントを開催する第１賭け施設に係り、
前記計算装置は、複数の賭けをする人が少なくとも前記賭けイベントに対する賭けを提供することを可能にする第２賭け施設に係り、
前記計算装置は、前記賭けイベントに対して提供された賭けを前記処理装置に通信し、
前記賭けイベントに対する以降の賭けが受け付けされないという通知は、前記計算装置に前記複数の賭けをする人から前記賭けイベントに対して提供されるさらなる賭けを受け付けさせない装置。
【請求項１１】
少なくとも１つの処理装置を有する装置であって、
前記処理装置は、該処理装置に係るソフトウェアを有し、
前記ソフトウェアは、前記処理装置により実行されると、
賭けイベントに対する少なくとも１つの賭けを受け付け、
前記少なくとも１つの賭けを受け付けた後、前記賭けイベントに対する以降の賭けが受け付けされないと決定し、
前記賭けイベントに対する以降の賭けが受け付けされないと決定した後、計算装置から前記賭けイベントに対する他の賭けを受け付け、
前記賭けイベントに対する以降の賭けが受け付けされないと前記処理装置が決定する前に、前記計算装置が前記他の賭けを送信したと決定し、
前記賭けイベントに対する以降の賭けが受け付けされないと前記処理装置が決定する前に、前記計算装置が前記他の賭けを送信したという決定に少なくとも部分的に基づき、前記他の賭けを受け付ける、
よう前記処理装置を動作可能にする装置。
【請求項１２】
前記ソフトウェアはさらに、実行されると、
前記賭けイベントに対する以降の賭けが受け付けされないと前記処理装置が決定した後、前記計算装置が前記他の賭けを送信したと決定し、
前記賭けイベントに対する以降の賭けが受け付けされないと前記処理装置が決定した後、前記計算装置が前記他の賭けを送信したという決定に少なくとも部分的に基づき、前記他の賭けを拒絶する、
よう前記処理装置を動作可能にする、請求項１１記載の装置。
【請求項１３】
前記ソフトウェアはさらに、実行されると、
前記他の賭けの拒絶に少なくとも部分的に基づき、前記他の賭けが拒絶されたという通知を前記計算装置に送信する、
よう前記処理装置を動作可能にする、請求項１２記載の装置。
【請求項１４】
前記第１賭け施設は、前記賭けイベントを開催する施設から構成され、
前記第２賭け施設は、複数の賭けをする人が少なくとも前記賭けイベントに対する賭けを行うことを可能にする施設から構成され、
前記計算装置は、前記賭けイベントに対して行われた賭けを前記処理装置に通信し、
前記他の賭けが拒絶されたという通知は、前記計算装置に前記複数の賭けをする人から前記賭けイベントに対して行われたさらなる賭けを受け付けさせない、請求項１３記載の装置。
【請求項１５】
前記ソフトウェアはさらに、実行されると、
前記賭けイベントに対する以降の賭けが受け付けされないという通知を前記計算装置に送信する、
よう前記処理装置を動作可能にする、請求項１２記載の装置。
【請求項１６】
前記第１賭け施設は、前記賭けイベントを開催する施設から構成され、
前記第２賭け施設は、複数の賭けをする人が少なくとも前記賭けイベントに対して賭けを行うことを可能にする施設から構成され、
前記計算装置は、前記賭けイベントに対して行われた賭けを前記処理装置に通信し、
前記賭けイベントに対する以降の賭けが受け付けされないという通知は、前記計算装置に前記複数の賭けをする人から前記賭けイベントに対して行われるさらなる賭けを受け付けさせない、請求項１５記載の装置。
【請求項１７】
当該装置は、第１賭け施設に係り、
前記計算装置は、第２賭け施設に係る、請求項１２記載の装置。
【請求項１８】
少なくとも１つの処理装置を有する装置であって、
前記処理装置は、該処理装置に係るソフトウェアを有し、
前記ソフトウェアは、前記処理装置により実行されると、
賭けをする人から賭けイベントに対する賭けを受け付け、
前記賭けを計算装置に送信し、
前記計算装置が前記賭けを拒絶したという通知を前記計算装置から受け付け、
前記賭けが拒絶されたことを前記賭けをする人に通知する、
よう前記処理装置を動作可能にし、
前記計算装置は、前記賭けイベントに対するさらなる賭けが受け付けされないという前記計算装置の決定に少なくとも部分的に基づき、前記賭けを拒絶する装置。
【請求項１９】
当該装置は、第２賭け施設に係り、
前記計算装置は、第１賭け施設に係る、請求項１８記載の装置。
【請求項２０】
前記第２賭け施設は、前記処理装置に動作可能に接続され、複数の賭けをする人が前記賭けイベントに対して少なくとも賭けをことを可能にする複数の賭け端末を有する、請求項１９記載の装置。
【請求項２１】
前記ソフトウェアはさらに、実行されると、前記計算装置が前記賭けを拒絶したという通知の受け付けに少なくとも部分的に基づき、前記複数の賭けをする人から前記賭けイベントに対して行われるさらなる賭けを受け付けないよう前記処理装置を動作可能にする、請求項１９記載の装置。
【請求項２２】
前記ソフトウェアはさらに、実行されると、
前記賭けイベントに対して複数の賭けを受け付け、
前記複数の賭けを個別に前記計算装置に送信する、
よう前記処理装置を動作可能にする、請求項１８記載の装置。
【請求項２３】
少なくとも１つの処理装置を有する装置であって、
前記処理装置は、該処理装置に係るソフトウェアを有し、
前記ソフトウェアは、前記処理装置により実行されると、
賭けイベントに対して少なくとも１つの賭けを受け付け、
前記賭けを前記賭けイベントを開催する第１賭け施設に係る計算装置に送信し、
前記計算装置から、前記賭けイベントに対する以降の賭けが受け付けされないという通知を受け付け、
前記賭けイベントに対する以降の賭けが受け付けされないという通知を受け付けた後、前記賭けイベントに対する他の賭けを受け付け、
前記賭けイベントに対する以降の賭けが受け付けされないという通知の受け付けに少なくとも部分的に基づき、前記他の賭けを拒絶する、
よう前記処理装置を動作可能にし、
当該装置は、複数の賭けをする人が前記賭けイベントに対して少なくとも賭けを行うことを可能にする第２賭け施設に係り、
前記処理装置は、前記賭けイベントに対して行われた賭けを前記計算装置に通信するよう動作可能である装置。
【請求項２４】
前記処理装置は、前記賭けイベントに対して行われた賭けを前記計算装置に個別に通信するよう動作可能であり、請求項２３記載の装置。
【請求項２５】
少なくとも１つの処理装置を有する装置であって、
前記処理装置は、該処理装置に係るソフトウェアを有し、
前記ソフトウェアは、前記処理装置により実行されると、
賭けイベントに対する賭けを受け付け、
前記賭けイベントに対するさらなる賭けが受け付けされないと計算装置が決定する前に、前記処理装置が前記計算装置に前記賭けを送信したこと、及び前記賭けイベントに対するさらなる賭けが受け付けされないと前記計算装置が決定した後に、前記処理装置が前記計算装置に前記賭けを送信したことの少なくとも１つを前記計算装置に決定させる前記賭けを前記計算装置に送信し、
前記賭けイベントに対するさらなる賭けが受け付けされないと計算装置が決定する前に、前記賭けを前記計算装置に送信したことに少なくとも部分的に基づき前記賭けを受け付ける、
よう前記処理装置を動作可能にする装置。
【請求項２６】
前記ソフトウェアはさらに、実行されると、前記賭けイベントに対するさらなる賭けが受け付けされないと前記計算装置が決定した後に、前記賭けを前記計算装置に送信したことに少なくとも部分的に基づき前記賭けを拒絶するよう前記処理装置を動作可能にする、請求項２５記載の装置。
【請求項２７】
前記ソフトウェアはさらに、実行されると、前記賭けイベントに対するさらなる賭けが受け付けされないと前記計算装置が決定した後に、前記賭けを前記計算装置に送信したことに少なくとも部分的に基づき前記計算装置が前記賭けを拒絶したという通知を前記計算装置から受け付けるよう前記処理装置を動作可能にする、請求項２６記載の装置。
【請求項２８】
前記第１賭け施設は、前記賭けイベントを開催する施設から構成され、
前記第２賭け施設は、複数の賭けをする人が前記賭けイベントに対する少なくとも賭けをすることを可能にする施設から構成され、
前記処理装置はさらに、前記賭けイベントに対して行われた賭けを前記計算装置に通信するよう動作可能であり、
前記ソフトウェアはさらに、実行されると、前記計算装置が前記賭けを拒絶したという通知の受け付けに少なくとも部分的に基づき、前記複数の賭けをする人から前記賭けイベントに対して行われたさらなる賭けを受け付けない、請求項２７記載の装置。
【請求項２９】
前記ソフトウェアはさらに、実行されると、前記賭けイベントに対する以降の賭けが受け付けされないという通知を前記計算装置から受け付けるよう前記処理装置を動作可能にする、請求項２６記載の装置。
【請求項３０】
前記第１賭け施設は、前記賭けイベントを開催する施設から構成され、
前記第２賭け施設は、複数の賭けをする人が前記賭けイベントに対する少なくとも賭けをすることを可能にする施設から構成され、
前記処理装置はさらに、前記賭けイベントに対して行われた賭けを前記計算装置に通信するよう動作可能であり、
前記ソフトウェアはさらに、実行されると、前記賭けイベントに対する以降の賭けが受け付けされないという通知を少なくとも部分的に受け付けることに基づき、前記賭けイベントに対して行われるさらなる賭けを前記複数の賭けをする人から拒絶するよう前記処理装置を動作可能にする、請求項２９記載の装置。
【請求項３１】
当該装置は、第２賭け施設に係り、
前記計算装置は、第１賭け施設に係る、請求項２６記載の装置。
【請求項３２】
前記ソフトウェアはさらに、実行されると、
前記賭けイベントに対する複数の賭けを受け付け、
前記複数の賭けを個別に前記計算装置に送信する、
よう前記処理装置を動作可能にする、請求項２５記載の装置。
【請求項３３】
少なくとも１つの処理装置を有する装置であって、
前記処理装置は、該処理装置に係るソフトウェアを有し、
前記ソフトウェアは、前記処理装置により実行されると、
当該装置が複数の賭け端末を有し、賭け施設により開催される賭けイベントに対する複数の賭けを受け付け、
前記複数の賭けを前記賭け施設に送信し、
前記賭け施設から賭け中止コマンドを受け付け、
以降に受け付けた賭けが前記賭け中止コマンド前に送信された場合、前記賭けイベントに対する以降に受け付けた賭けを受け付ける、
よう前記処理装置を動作可能にする装置。
【請求項３４】
前記複数の賭けを前記賭け施設に送信することは、前記複数の賭けを個別に前記賭け施設に送信することからなる、請求項３３記載の装置。
【請求項３５】
当該装置と前記賭け施設は、前記複数の賭けに係る会計情報を取得するよう動作可能なクリアリングハウスに通信可能に接続される、請求項３４記載の装置。